(57)【要約】【課題】  高い強度と耐久性を有し、自然な風合いがある園芸用材料とプランターを提供する。【解決手段】  金属棒等により形成され一定以上の力で折り曲げ可能な芯部材１６を有し、芯部材１６の周囲に植物性の繊維素材１８が取り付けられ、芯部材１６が見えないように覆っている。繊維素材１８の周囲には、固定用紐部材２０が巻き回され、園芸用材料１４を構成している。園芸用材料１４は、吊下部材１２やプランター１０，３８，６４等に用いられる。【選択図】      図１
2005185249.tif 000002
【特許請求の範囲】
【請求項１】
金属製で適度な剛性を備え折り曲げ可能な芯部材を有し、上記芯部材の周囲に植物性の繊維素材が取り付けられて覆われていることを特徴とする園芸用材料。
【請求項２】
上記繊維素材の周囲に巻き回され上記芯部材に上記繊維素材を固定した固定用紐部材が設けられていることを特徴とする園芸用材料。
【請求項３】
金属製で適度な剛性を有し折り曲げ可能な芯部材を籠状に組み立て、上記芯部材が植物性の繊維素材で覆われ、上記繊維素材の外周に固定用紐部材が巻き回されていることを特徴とするプランター。
【発明の詳細な説明】
【技術分野】
【０００１】
この発明は、植物を植えたり植物や容器を保持する園芸用材料と、それを使用したプランターに関する。
【背景技術】
【０００２】
近年、園芸用品が多種多様用になり、植物を植えるプランターやプランターを地面から離して吊したりして飾るプランター台、つた植物をはわせるトレーナーなど、種類が豊富であり、色や形状、素材も豊富になっている。そして、プランターを吊下げたりつた植物を支持棒に固定する紐状の園芸用材料としては、ラタンや荒縄等の植物性のものが使われていた。このような紐は自然の風合いがあり、庭やベランダに調和する。
【特許文献１】特開平１１−１６４６２５号公報
【発明の開示】
【発明が解決しようとする課題】
【０００３】
しかし、植物性の繊維素材で作られた荒縄やラタンは、腐りやすいため耐久性が低く、また強度も高くないため切れることもあった。耐久性や強度を求める場合は、金属性のワイヤーを使用していたが、外観が良くなく、庭などの周囲の風景に馴染んでいなかった。また、プランターを地面から離して飾るプランター台等も、強度を要するため金属性の棒を組み立てて作られていた。ワイヤーを植物に近い色に塗るなどの工夫がされているが、表面が滑らかであり自然の風合いはなかった。
【０００４】
この発明は、上記従来の技術の問題点に鑑みてなされたものであり、高い強度と耐久性を有し、自然な風合いがある園芸用材料とプランターを提供することを特徴とする。
【課題を解決するための手段】
【０００５】
本発明は、金属製で適度な剛性を備え一定以上の力で折り曲げ可能な芯部材を有し、上記芯部材の周囲に植物性の繊維素材が取り付けられ、上記芯部材が見えないように覆われている園芸用材料である。芯部材は、例えばワイヤー等である。繊維素材は、例えば金糸籐などである。
【０００６】
また、上記繊維素材の周囲に巻き回され上記芯部材に上記繊維素材を固定した固定用紐部材が設けられている。固定用紐部材は、例えば細いワイヤーである。
【０００７】
またこの発明は、金属製で適度な剛性を有し一定以上の力で折り曲げ可能な芯部材を籠状に組み立て、上記芯部材に植物性の繊維素材が取り付けられて覆われ、この繊維素材の外周に固定用紐部材が巻き回されているプランターである。
【発明の効果】
【０００８】
本発明の園芸用材料とそれを使用したプランターは、金属性の芯部材により耐久性や強度が高く、外観は天然素材の自然な風合いを出すことができる。このため、プランターを吊り下げたり保持したりするいろいろな用途に、安全に長期間用いることができる。
【発明を実施するための最良の形態】
【０００９】
以下、この発明の実施形態について図面に基づいて説明する。図1はこの発明の第一実施形態を示すもので、この実施形態は内側に培地を入れて植物を栽培する吊下式プランター１０である。吊下式プランター１０は、壁や柱に吊下げられる吊下部材１２が設けられている。
【００１０】
吊下部材１２は、長尺の園芸用材料１４が使われている。園芸用材料１４は、適度な剛性を有しある程度以上の力で折り曲げ可能な芯部材１６を有している。芯部材１６は、例えば金属製のワイヤーである。芯部材１６の周囲には、植物性の細い繊維素材１８が芯部材１６を覆って取り付けられている。繊維素材１８は、例えば金糸籐である。繊維素材１８の外側には、繊維素材１８の周囲を螺旋状に巻き回す固定用紐部材２０が設けられている。固定用紐部材２０は、例えば細い合成樹脂の糸やワイヤーであり、繊維素材１８と同じ色に形成されていると良い。
【００１１】
吊下部材１２は、園芸用材料１４を同じ長さに３本切断した吊紐部２２が設けられ、吊紐部２２の上端部２２ａは互いに束ねられ、フック状に折り曲げられている。束ねる方法は、固定用紐部材２０と同じ細い紐で３本の周囲を巻き回している。吊紐部２２の下端部２２ｂには、それぞれ連結用の金具２４が取り付けられている。
【００１２】
吊紐部２２には、植込容器２５が設けられている。植込容器２５は、上方に開口する半球形に形成され、上方に開口する開口部２６の外側を一周する第一環部２８が、園芸用材料１４で作られている。第一環部２８には、３個のリング部材２９が互いに等間隔に取り付けられている。リング部材２９は、吊下部材１２の金具２４が連結される。第一環部２８の内側には、複数本の縦棒部３０が互いに等間隔で第一環部２８に対して直角に下方に延出して設けられている。縦棒部３０の下端部は互いに束ねられて、半球状に形成される。半球状に形成される縦棒部３０のほぼ中心には、縦棒部３０の内側を一周する第二環部３２が設けられている。縦棒部３０、第二環部３２ともに園芸用材料１４で作られている。第一環部２８、第二環部３２、縦棒部３０で形成された半球状の内側に、マット３４が取り付けられている。マット３４は、例えば椰子の実の繊維で作られ、植込容器２５の大きさに予めカットされている。マット３４は、例えばテグス３６で、第一環部２８、第二環部３２、縦棒部３０に縫い付けられている。
【００１３】
この吊下式プランター１０の使用方法は、植込容器２５の内側に培地を入れ、植物を植える。そして吊下げ部材２０で、柱や壁からつるし、観賞する。
【００１４】
この実施形態の吊下式プランター１０は、吊下部材１２と植込容器２５が、園芸用材料１４で作られているため、高い耐久性と強度を有し、保形性に優れている。さらに繊維素材１８により植物の風合いを出して自然な印象を与える。園芸用材料１４は、芯部材１６の強度と繊維素材１８のやさしい素材感の両方の特徴を生かす今までにない材料である。また、マット３４は椰子の繊維等の天然素材で作られているため、園芸用素材１４が調和して外観が良好となる。
【００１５】
次にこの発明の第二実施形態について図２に基づいて説明する。この実施形態は揺動式プランター３８である。揺動式プランター３８は、床や地面に置かれる台４０が設けられている。台４０は、環状に作られ、床や地面に置かれる互いに平行な一対の直線である接地部４２と、設置部４２の端部から上方へ山形に折り曲げて他方の設置部４２端部に連続する保持部４４が一対設けられている。水平方向から、接地部４２が水平となるように見たとき、保持部４４は接地部４２に対して直角以上の角度で折り曲げられている。保持部４４の頂部４４ａには、互いに対面する向きに、同形のフック４６が各々設けられている。ここで、台４０は適度な剛性を有する金属棒等の芯部材４８で作られ、芯部材４８の周囲には、植物性の繊維素材５０、例えば金糸籐が、螺旋状に巻きつけられて芯部材４８を覆っている。
【００１６】
台４０のフック４６には、植込容器５２が設けられている。植込容器５２は、上方に開口する船形に形成され、ワイヤー等の芯部材５４で船形の骨組みが設けられている。船形の骨組みは芯部材４８が複数本互いに平行に設けられ、芯部材５４の外側には、台４０と同じ繊維素材５０が芯部材４８に対してほぼ直角に貼られ、さらに繊維素材５０は固定用紐部材５６で芯部材４８に対してほぼ平行な方向に縫い付けている。
【００１７】
船形の芯部材５４の内側には、マット５８が取り付けられている。マット５８は、例えば椰子の実の繊維で作られ、テグス６０で芯部材５４に縫い付けられている。植込容器５２の長手方向の両端部には、台４０のフック４６にかけるリング部材６２が各々取り付けられている。
【００１８】
この実施形態の揺動式プランター３８の使用方法は、植込容器５２に培地を入れて植物を植えた後、植込容器５２のリング部材６２を、台４０のフック４６にかけ、揺動可能に保持され、植込容器５２を揺らせたりして鑑賞する。
【００１９】
この実施形態の揺動式プランター３８は、台４０は芯部材４８により強度が高く作られているため、形が崩れることなく、安定して培地と植物が入った植込容器５２を保持することができる。植込容器５２も芯部材５４が組み立てられているため、培地や植物の重みで形が崩れることない。植込容器５２は台４０のフック４６に吊下げられて揺動可能であり、面白く観賞することができる。台４０と植込容器５２は、同じ繊維素材５０で覆われているため、統一感があり外観がすっきりとしたものになる。
【００２０】
次にこの発明の第三実施形態について図３に基づいて説明する。この実施形態は床置式プランター６４である。床置式プランター６４は、上方に開口する有底筒状に形成され、上方に開口する開口部６５の周囲を囲む第一環部６６と、下方に位置した円形の底面部６８が設けられ、第一環部６８と底面部６８の間には、複数本の縦棒部７０が互いに等間隔で、第一環部６８と底面部６８を連結して設けられている。縦棒部７０のほぼ中間には、第一環部６６と底面部６８に対して平行な第二環部７２が設けられている。底面部６８の周縁部の３ヶ所には、下方に突出する脚部７４が設けられている。第一環部６６には、２個の逆Ｕ字形の持手７６が等間隔に取り付けられている。
【００２１】
第一環部６８、第二環部７２、底面部６８、縦棒部７０、脚部７４、持手７６は、芯部材７８で骨組みが設けられ、芯部材７８の周囲または外側に、繊維素材８０が芯部材７８に沿って取り付けられている。繊維素材８０の外側には、細い固定用紐部材８２が巻き回されている。底面部６８は、芯部材７８が複数本互いに平行に設けられ、芯部材７８に対してほぼ直角に繊維素材８０が貼られ、さらに固定用紐部材８２で芯部材７８にほぼ平行な方向に縫い付けている。
【００２２】
第一環部６８、第二環部７２、底面部６８、縦棒部７０で囲まれた有底筒状の内側に、マット８４が取り付けられている。マット８４は椰子の実の繊維で作られ、テグス８６で第一環部６８、第二環部７２、底面部６８、縦棒部７０に縫い付けられている。
【００２３】
この実施形態の床置式プランター６４は、強度が高く作られているため変形が無く、また自然の風合いがある。脚部７４があるため、底面部６８は地面に接触しないため傷みを防ぎ、また水はけがよく通気性も高いため、植物の生育に良好となる。持手７６が設けられているため、移動が容易である。
【００２４】
なお、この発明の園芸用材料とそれを使用したプランターは、上記実施の形態に限定されず、各素材は自由に選択可能であり、芯部材のワイヤーの太さは用途に合わせて適したものを使用することができる。この発明の園芸用材料は、プランター以外に、つた植物をはわせるラティスや、柵などいろいろなものに利用することができる。
【図面の簡単な説明】
【００２５】
【図１】この発明の第一実施形態の園芸用材料と吊下式プランターの斜視図である。
【図２】この発明の第二実施形態の揺動式プランターの斜視図である。
【図３】この発明の第三実施形態の床置式プランターの斜視図である。
【符号の説明】
【００２６】
１０  吊下式プランター
１２  吊下部材
１４  園芸用材料
１６  芯部材
１８  繊維素材
２０  固定用紐部材
２２  吊紐部
２４  金具
２５  植込容器
２６  開口部
２８  第一環部
３０  縦棒部
３２  第二環部
３４  マット
３６  テグス
【図１】
2005185249.tif 000003
【図２】
2005185249.tif 000004
【図３】
2005185249.tif 000005